(57)【要約】【課題】見栄えがよく、従来の組立式でない棺桶と同様に高級感が得られる。【解決手段】底板１の長辺側の両側縁部にそれぞれ側板基板２、３を固定し、底板１の短辺側の両側縁部にそれぞれ妻板基板４、４を固定し、両側板基板４、４上に側板可倒板５、６をそれぞれ内側に倒伏可能に連結し、両妻板基板４、４上におけるそれぞれの側板可倒板５、６の間に妻板差込み板８、８を差込み可能に構成している。側板基板２、３の外側面は側板可倒板５、６の外側面より内側になるように形成され、側板可倒板５、６には、側板基板２、３の外側面を覆うように下方に伸びた側板基板外側覆い部５ｄ、６ｄと、側板基板２、３の両端部を覆うように下方に伸びた側板基板端部覆い部５ｅ、６ｅが形成されている。【選択図】      図２
2008125733.tif 000002
【特許請求の範囲】
【請求項１】
底板の長辺側の両側縁部にそれぞれ側板基板を固定し、底板の短辺側の両側縁部にそれぞれ妻板基板を固定し、前記両側板基板上に側板可倒板をそれぞれ内側に倒伏可能に連結し、前記両妻板基板上におけるそれぞれの側板可倒板の間に妻板差込み板を差込み可能に構成した組立式棺桶において、前記側板基板の外側面は側板可倒板の外側面より内側になるように形成され、側板可倒板には、側板基板の外側面を覆うように下方に伸びた側板基板外側覆い部と、側板基板の両端部を覆うように下方に伸びた側板基板端部覆い部が形成されていることを特徴とする組立式棺桶。
【請求項２】
底板の長辺側の両側縁部にそれぞれ側板基板を固定し、底板の短辺側の両側縁部にそれぞれ妻板基板を固定し、前記両側板基板上に側板可倒板をそれぞれ内側に倒伏可能に連結し、前記両妻板基板上におけるそれぞれの側板可倒板の間に妻板差込み板を差込み可能に構成した組立式棺桶において、前記側板基板の外側面は側板可倒板の外側面より内側になるように形成され、側板可倒板には、側板基板の外側面を覆うように下方に伸びた側板基板外側覆い部と、側板基板の両端部を覆うように下方に伸びた側板基板端部覆い部が形成され、前記妻板差込み板の外側面は、前記妻板基板の外側面を覆うように下方に伸びた妻板基板覆い部が形成されていることを特徴とする組立式棺桶。
【発明の詳細な説明】
【技術分野】
【０００１】
本発明は、組立式棺桶に関する。
【背景技術】
【０００２】
従来、組立式棺桶として、例えば特許文献１及び２が挙げられる。
【特許文献１】実用新案登録第３０３１０３９号公報
【特許文献２】実用新案登録第３０４０８８２号公報
【０００３】
特許文献１の構造を図６及び図７により説明する。底板１の長辺側の両側縁部には、側板基板２、３が固定されている。ここで、側板基板３は、側板基板２にその板厚を加算した高さを有する段違いとなっている。また底板１の短辺側の両側縁部の側板基板２と３との間には、それぞれ側板基板２と同じ高さを有する妻板基板４、４が固定されている。側板基板２及び３上には、その板厚分の高さの異なる側板可倒板５、６がそれぞれ内側に倒伏可能に蝶番７を用いて連結されている。そして、妻板基板４、４上におけるそれぞれの側板可倒板５、６の間に妻板差込み板８、８を差込み可能にしている。
【０００４】
ここで、前記側板可倒板５、６と妻板差込み板８、８との差込み構造は、次のようになっている。妻板差込み板８の両端面には、それぞれ係合突起８ａ、８ａが設けられている。側板可倒板５、６及び側板基板３の前記係合突起８ａ、８ａの対応部位には、それぞれ前記係合突起８ａ、８ａに係合する係合溝５ａ、６ａ、３ａが設けられている。
【発明の開示】
【発明が解決しようとする課題】
【０００５】
上記従来技術は、組立棺桶とした場合、側板基板２、３と側板可倒板５、６の継目１０、１０が外部に表れ、２枚の板を継ぎ合わせたように見え、見栄えが悪く安価な棺桶の印象を与える。また妻板基板４、４と妻板差込み板８、８においても継目１１、１１が外部に表れるので、同様に見栄えが悪く安価な棺桶の印象を与える。
【０００６】
本発明の課題は、見栄えがよく、従来の組立式でない棺桶と同様に高級感が得られる組立式棺桶を提供することにある。
【課題を解決するための手段】
【０００７】
上記課題を解決するための本発明の請求項１は、底板の長辺側の両側縁部にそれぞれ側板基板を固定し、底板の短辺側の両側縁部にそれぞれ妻板基板を固定し、前記両側板基板上に側板可倒板をそれぞれ内側に倒伏可能に連結し、前記両妻板基板上におけるそれぞれの側板可倒板の間に妻板差込み板を差込み可能に構成した組立式棺桶において、前記側板基板の外側面は側板可倒板の外側面より内側になるように形成され、側板可倒板には、側板基板の外側面を覆うように下方に伸びた側板基板外側覆い部と、側板基板の両端部を覆うように下方に伸びた側板基板端部覆い部が形成されていることを特徴とする。
【０００８】
上記課題を解決するための本発明の請求項２は、上記請求項１の構成に、前記妻板差込み板の外側面は、前記妻板基板の外側面を覆うように下方に伸びた妻板基板覆い部が形成された構成を付加したことを特徴とする組立式棺桶。
【発明の効果】
【０００９】
組立状態においては、側板可倒板の側板基板外側覆い部、側板基板端部覆い部、側板基板外側覆い部、側板基板端部覆い部が側板基板の外側面及び両端部を覆うので、側板基板と側板可倒板の継目が外部に表れなく、側板は１枚の板のように見え、見栄えが良く従来の組立式でない棺桶と同様に高級感が得られる。また妻板差込み板にも妻板基板覆い部を形成すると、妻板基板と妻板差込み板の継目も外部に表れなくなり、妻板も１枚の板のように見え、更に高級感が得られる。
【発明を実施するための最良の形態】
【００１０】
本発明の組立式棺桶の一実施の形態を図１乃至図５により説明する。なお、図６及び図７と同じ又は相当部材には同一符号を付して説明する。図２及び図３に示すように、底板１の両側縁部の上面には、側板基板２、３が固定されており、底板１の短辺側の両側縁部の側板基板２と３との間の上面には、妻板基板４、４が固定されている。側板基板２及び３上には、側板可倒板５、６がそれぞれ内側に倒伏可能に蝶番７を用いて連結されている。妻板基板４、４上におけるそれぞれの側板可倒板５、６の間には妻板差込み板８、８が差込み可能に配設されている。
【００１１】
ここで、側板可倒板５、６を図４に示すように内側に倒伏させた時に、該側板可倒板５、６がほぼ水平になるように、側板基板２は、妻板基板４、４に後記する側板可倒板５の係合突起５ｂの厚さを加算した高さに形成され、側板基板３は、側板基板２に、側板可倒板５の板厚、後記する側板可倒板６の係合突起６ｂを加算した高さに形成され、側板基板２と段違いになっている。
【００１２】
妻板差込み板８、８の両端面には、図５に示すように、係合溝８ｂ、８ｂが上端部８ｃ、８ｃを残して設けられている。図２及び図３に示すように、側板可倒板５、６及び側板基板３の前記係合溝８ｂ、８ｂの対応部位には、それぞれ係合溝８ｂ、８ｂに係合する係合突起５ｂ、６ｂ、３ｂが側板可倒板５、６の上端部５ｃ、６ｃを残して設けられている。前記妻板差込み板８、８は、該妻板差込み板８、８を起立状態の側板可倒板５、６の間に完全に差し込んだ場合、側板可倒板５、６の高さと等しくなるように設けられている。
【００１３】
次に本発明の特徴とする構造について説明する。側板基板２の外側面は側板可倒板５の外側面より内側になるように、側板基板２の厚さは側板可倒板５の厚さより薄く形成され、また底板１の長辺側も側板基板２と同一面に形成されている。そして、側板可倒板５には、側板基板２及び底板１の外側面を覆うように下方に伸びた側板基板外側覆い部５ｄが形成されている。また側板可倒板５の側面には、側板基板２及び底板１の両端部を覆うように下方に伸びた側板基板端部覆い部５ｅが形成されている。
【００１４】
側板基板３と側板可倒板６との関係も同様に、側板基板３の外側面は側板可倒板６の外側面より内側になるように、側板基板３の厚さは側板可倒板６の厚さより薄く形成され、また底板１の長辺側も側板基板３と同一面に形成されている。そして、側板可倒板６には、側板基板３及び底板１の外側面を覆うように下方に伸びた側板基板外側覆い部６ｄが形成されている。また側板可倒板６の側面には、側板基板３及び底板１の両端部を覆うように下方に伸びた側板基板端部覆い部６ｅが形成されている。
【００１５】
妻板差込み板８の外側面は、妻板基板４及び底板１の外側面を覆うように下方に伸びた妻板基板覆い部８ｄ形成されている。
【００１６】
そこで、妻板差込み板８、８を側板可倒板５と６間より取り外した図１及び図３の状態より側板可倒板５を内側に倒伏させ、次に側板可倒板６を内側に倒伏させると、図４に示すように、側板可倒板５、６はそれぞれ水平状態で折り重なったように折り畳まれる。使用時には、図４に示す折り畳み状態から図１及び図３に示すように側板可倒板５、６をそれぞれ起立させ、この状態で妻板差込み板８、８の係合溝８ｂ、８ｂを側板可倒板５、６の係合突起５ｂ、係合突起６ｂに上方から下方に向けて差し込む。これにより、図２に示すように組み立てられる。
【００１７】
前記した組立状態（図１及び図２の状態）においては、側板可倒板５、６の側板基板外側覆い部５ｄ、側板基板端部覆い部５ｅ、側板基板外側覆い部６ｄ、側板基板端部覆い部６ｅが底板１、側板基板２、３の外側面及び両端部を覆うので、側板基板２、３と側板可倒板５、６の継目１０、１０が外部に表れなく、側板は１枚の板のように見え、見栄えが良く従来の組立式でない棺桶と同様に高級感が得られる。また妻板差込み板８、８にも妻板基板覆い部８ｄを形成すると、妻板基板４、４と妻板差込み板８、８の継目１１、１１も外部に表れなくなり、妻板も１枚の板のように見え、更に高級感が得られる。
【００１８】
なお、上記実施の形態においては、妻板差込み板８に係合溝８ｂ、８ｂを形成し、側板可倒板５、６及び側板基板３に係合突起５ｂ、６ｂ、３ｂを形成したが、特許文献１と同様に、妻板差込み板８に係合突起８ａ、８ａを形成し、側板可倒板５、６及び側板基板３に係合溝５ａ、６ａ、３ａを形成してもよい。また側板基板２、３及び妻板基板４、４は底板１上に固定したが、底板１の端面に固定してもよい。この場合には、側板可倒板５、６の側板基板外側覆い部５ｄ、側板基板外側覆い部６ｄ、側板基板端部覆い部５ｅ、側板基板端部覆い部６ｅは底板１を覆わなく、側板基板２、３のみを覆うこと言うまでもない。妻板差込み板８、８の妻板基板覆い部８ｄも同様に、側板基板２、３のみを覆うことは言うまでもない。
【図面の簡単な説明】
【００１９】
【図１】本発明の組立式棺桶の一実施の形態を示す斜視図である。
【図２】組立た状態を示し、（ａ）は平面図、（ｂ）は正面図、（ｃ）は（ａ）のＡ−Ａ線断面図、（ｄ）は（ａ）のＢ−Ｂ線矢視図、（ｅ）は（ａ）のＣ−Ｃ線断面図、（ｆ）は（ａ）のＤ−Ｄ線矢視図、（ｇ）は（ａ）のＥ−Ｅ線断面図である。
【図３】側板可倒板を起立させた状態を示し、（ａ）は平面図、（ｂ）は正面図、（ｃ）は（ａ）のＦ−Ｆ線断面図、（ｄ）は（ａ）のＧ−Ｇ線矢視図、（ｅ）は（ａ）のＨ−Ｈ線断面図、（ｆ）は（ａ）のＩ−Ｉ線矢視図、（ｇ）は（ａ）のＪ−Ｊ線断面図である。
【図４】側板可倒板を折り畳んだ状態を示し、（ａ）は平面図、（ｂ）は正面図、（ｃ）は（ａ）のＫ−Ｋ線断面図である。
【図５】妻板差込み板を示し、（ａ）は正面図、（ｂ）は側面図、（ｃ）は底面図である。
【図６】従来の組立式棺桶において側板可倒板を起立させた状態の斜視図である。
【図７】図６の組立式棺桶を組立た状態の斜視図である。
【符号の説明】
【００２０】
１    底板
２    側板基板
３    側板基板
４    妻板基板
５、６    側板可倒板
５ｄ、６ｄ    側板基板外側覆い部
５ｅ、６ｅ    側板基板端部覆い部
７    蝶番
８    妻板差込み板
８ｄ    妻板基板覆い部
【図１】
2008125733.tif 000003
【図２】
2008125733.tif 000004
【図３】
2008125733.tif 000005
【図４】
2008125733.tif 000006
【図５】
2008125733.tif 000007
【図６】
2008125733.tif 000008
【図７】
2008125733.tif 000009